(57)【要約】【要  約】【課  題】    リモコンが壁面に設けられているホルダーなどの保持具に保持されている際などにも、室内機からの信号をリモコンの受信部がより確実に受信する。【解決手段】  空気調和装置用リモコン（１６）は、空気調和装置の室内機（１）と赤外線で送受信する。そして、リモコンの先端部に設けられた受信部（２２）は、その受信中心線（Ｌ）が操作面（２３）側に傾斜するように配置されている。【選択図】  図５
2005221159.tif 000002
【特許請求の範囲】
【請求項１】
空気調和装置の室内機と赤外線で送受信する空気調和装置用リモコンにおいて、
リモコンの先端部に設けられた受信部は、その受信中心線が操作面側に傾斜するように配置されていることを特徴とする空気調和装置用リモコン。
【請求項２】
前記受信中心線と操作面とのなす角度が、５°から４５°の範囲であることを特徴とする請求項１記載の空気調和装置用リモコン。
【請求項３】
前記リモコンには、前記受信部を挟んで両側に送信部が設けられているとともに、この両送信部は、その送信中心線が操作面側に傾斜するように配置されていることを特徴とする請求項１または２記載の空気調和装置用リモコン。
【発明の詳細な説明】
【技術分野】
【０００１】
本発明は、空気調和装置の室内機と赤外線で送受信する空気調和装置用リモコンに関する。
【背景技術】
【０００２】
たとえば特許文献１などに記載されている従来の空気調和装置用リモコンを図１（ｂ）および図６に基づいて説明する。ルームエアコンなどの空気調和装置の室内機０１には赤外線を送信する送信部０２が設けられ、一方、ワイヤレス式のリモコン（すなわち、リモートコントローラ）０３の先端部には赤外線を受信する受信部０４が設けられている。そして、リモコン０３の受信部０４は室内機０１の送信部０２からの赤外線を直接受信したり、また、その反射光を受信したりする。この従来のリモコン０３の受信部０４は、その取付基板０４ａがリモコン０３の操作面０６に対して略垂直に配置され、受信中心線０Ｌがリモコン０３の操作面０６と略平行となるように設けられている。
【０００３】
ところで、この様な従来のリモコン０３を手で持って室内機０１に向けて送受信を行うと、室内機０１の送信部０２からの信号を略確実にリモコン０３の受信部０４で受信することができるが、図６に図示するように、室内機０１の設置壁面０７の左右の角部のホルダー０Ｈに収納すると、室内機０１の送信部０２からの赤外線をリモコン０３の受信部０４で受信することができないことがある。
【特許文献１】特開２００２−２０６７９０号公報
【発明の開示】
【発明が解決しようとする課題】
【０００４】
解決しようとする問題点は、リモコンが壁面に設けられているホルダーなどの保持具に保持されている際に、室内機からの信号をリモコンの受信部で受信することができないことがある点である。
【課題を解決するための手段】
【０００５】
本発明の空気調和装置用リモコン（１６）は、空気調和装置の室内機（１）と赤外線で送受信する。そして、リモコンの先端部に設けられた受信部（２２）は、その受信中心線（Ｌ）が操作面（２３）側に傾斜するように配置されている。
【０００６】
また、受信中心線と操作面とのなす角度（φ）が、５°から４５°の範囲であることがある。
さらに、リモコンには、受信部を挟んで両側に送信部（２１）が設けられているとともに、この両送信部は、その送信中心線が操作面側に傾斜するように配置されていることがある。
【発明の効果】
【０００７】
本発明によれば、リモコンの先端部に設けられた受信部が、その受信中心線を操作面側に傾斜するように配置されているので、室内機の設置されている壁面に設けられているホルダーなどの保持具で保持されている際にも、受信範囲が壁面により妨げられて減少することが殆どなく、より確実に室内機からの信号を受信することができる。
【０００８】
また、送信部が受信部を挟んで両側に各々設けられているので、２個の送信部で、従来の単一の送信部に比して、より確実に室内機に信号を送信することができるとともに、送信部からの信号が受信部で妨げられることを極力防止することができる。
【発明を実施するための最良の形態】
【０００９】
空気調和装置用リモコンにおいて、リモコンが壁面に設けられているホルダーなどの保持具に保持されている際などにも、室内機からの信号をリモコンの受信部でより確実に受信するという目的を、リモコンの受信部を、その受信中心線が操作面側に傾斜するように配置することで実現した。
【実施例１】
【００１０】
次に、本発明における空気調和装置用リモコンの一実施例について、図１ないし図６を用いて説明する。図１はリモコンの一部切欠き側面図で、（ａ）が本発明におけるリモコンの図、（ｂ）が従来のリモコンの図である。図２は本発明における空気調和装置用リモコンの正面図である。図３は空気調和装置の説明図である。図４は室内機とリモコンとの送受信の説明図である。図５はホルダーに収納された状態の本発明におけるリモコンの説明図である。図６はホルダーに収納された状態の従来のリモコンの説明図である。なお、図１において、リモコンの先端部は、図２の I-I断面で一部が切り欠かれた状態で図示されている。また、図５および図６において、リモコンを保持するホルダーは二点鎖線で図示されている。
【００１１】
まず始めに、空気調和装置の全体構成を説明する。
図３において、空気調和装置は、室内機１および、この室内機１と冷媒配管２で接続される室外機３を備えている。室内機１は屋内に設置され、一方、室外機３は屋外に設置されており、冷媒配管２は、壁４に形成された孔５を通って、室内機１と室外機３とを接続している。また、室外機３は、冷媒を圧縮する圧縮機６、室外熱交換器７および熱交換器用送風機８などの機器を具備している。そして、室外機３の運転時には、冷凍サイクルの冷媒が室外機３から暖冷房のために冷媒配管２を介して室内機１に循環している。
【００１２】
室内機１は、室内熱交換器１１、循環用送風機１２、赤外線を送信するＬＥＤ式の送信部１３および、赤外線を受信するフォトダイオードなどからなる５Ｖ（ボルト）駆動の受信部１４を具備している。そして、循環用送風機１２が稼働すると、室内の空気が、室内熱交換器１１で熱交換されながら、室内を循環している。
【００１３】
また、ワイヤレス式のリモコン１６は図２に図示するように、液晶式の表示部１７、各種操作部１８、おしえてボタン１９、赤外線を送信するＬＥＤ式の送信部２１および、赤外線を受信するフォトダイオードなどからなる３Ｖ（ボルト）駆動の受信部２２などを具備している。図１（ａ）および図２に図示するように、送信部２１および受信部２２はリモコン１６に内蔵されるとともに、送信部２１は受信部２２を挟んで左右に各々１個ずつ設けられている。また、表示部１７、操作部１８および、おしえてボタン１９は、リモコン１６の操作面２３に設けられている。
【００１４】
リモコン１６の受信部２２は、その取付基板２２ａがリモコン１６の操作面２３に対して傾斜して設けられており、受信中心線Ｌが操作面２３側に傾斜するように配置されている。受信中心線Ｌと操作面２３とのなす角度φは約１５°で、５°〜４５°の範囲で設計可能になっている。また、受信中心線Ｌを中心として受信角度αの範囲に入る赤外線を、受信部２２は受信することができる。そして、リモコン１６を収納するホルダーＨが、壁４に設けられている。また、リモコン１６の送信部２１も、受信部２２と同様に、その送信中心線が操作面２３側に傾斜するように配置され、送信部２１の送信中心線と操作面２３とのなす角度は、受信部２２の受信中心線Ｌと操作面２３とのなす角度φと略同じ角度になっている。
【００１５】
そして、リモコン１６の操作部１８を操作して、設定温度や運転モードなどを指令すると、リモコン１６のマイコンなどからなる制御装置（図示しない）は、その指令信号を２個の送信部２１から赤外線信号として送信する。この赤外線信号を室内機１の受信部１４が受信する。この受信された信号は、室内機１の制御装置（図示しない）に入力され、設定温度や運転モードなどが制御装置に指令される。
【００１６】
また、外気温度や二酸化炭素ガス濃度等の空気調和装置の運転状況を知りたい際には、リモコン１６のおしえてボタン１９を操作する。すると、リモコン１６の制御装置は、その要求信号を２個の送信部２１から赤外線信号として送信する。この赤外線信号を室内機１の受信部１４が受信する。受信部１４で受信された信号は、室内機１の制御装置に入力され、室内機１の制御装置は要求されたデータを外気温度センサ（図示しない）やＣＯ２センサ（図示しない）などから入手し、室内機１の送信部１３から赤外線信号として送信する。この赤外線信号をリモコン１６の受信部２２が受信する。この受信された信号は、リモコン１６の制御装置に入力され、リモコン１６の制御装置は室内機１の制御装置からのデータを、表示部１７に表示する。
【００１７】
そして、図４に図示するように、リモコン１６を室内機１に向けて信号を送受信した際には、従来のリモコン０３と同様に円滑に送受信することができる。一方、前述のように、従来のリモコン０３をホルダー０Ｈに収納させた状態（図６参照）では、室内機０１の送信部０２からの赤外線の反射光が、リモコン０３の受信部０４で受信されないことがあった。しかしながら、本実施例のリモコン１６をホルダーＨに収納させた状態（図５参照）にして、おしえてボタン１９などを押して、送受信を行った際には、リモコン１６の送信部２１からの赤外線の反射光は、室内機１の受信部１４で受信されるとともに、室内機１の送信部１３からの赤外線の反射光が、リモコン１６の受信部２２で受信される。
【００１８】
この様に、ホルダー０Ｈ，Ｈに収納された状態で、本実施例のリモコン１６が、従来のリモコン０３よりも確実に室内機１からの信号を受信できるのは、下記の理由によるものと思われる。
すなわち、従来のリモコン０３の受信中心線０Ｌは操作面０６と略平行なため、ホルダー０Ｈに収納された状態（図６参照）では、リモコン０３の受信中心線０Ｌが壁面０７と略平行となり、リモコン０３の受信角度αが壁面０７に妨げられて角度α１に減少され、受信範囲が狭くなる。一方、本実施例のリモコン１６の受信中心線Ｌはリモコン１６の操作面２３に対して傾斜しており、ホルダーＨに収納された状態（図５参照）で、リモコン１６の受信中心線Ｌが壁４に対して室内側に傾斜する。そのため、リモコン１６の受信角度αは、壁４に妨げられることは殆どなく、受信範囲を維持することができる。この様に、本実施例のリモコン１６は、ホルダーＨに収納された状態で、従来のリモコン０３よりも広い受信範囲を確保することができるため、従来のリモコン０３よりも確実に室内機１からの信号を受信することができる。
【００１９】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）リモコンの受信部および送信部の個数、配置や取付構造などは、特許請求の範囲に限定されていない限り、適宜変更可能である。
（２）室内機の受信部および送信部の個数、配置や取付構造などは適宜変更可能である。
（３）リモコンは、壁に設けられている保持具としてのホルダーに保持されているが、保持具はリモコンを保持することができるならば、ホルダーに限定されず、その構造や形状などは適宜選択可能である。
（４）リモコンは必ずしも壁に設けられているホルダーに保持される必要はなく、ホルダーが設けられていないことも可能である。
【産業上の利用可能性】
【００２０】
リモコンの受信部を、その受信中心線が操作面側に傾斜するように配置することにより、壁面に設けられているホルダーなどの保持具にリモコンが保持されている際などにも、室内機からの信号をリモコンの受信部でより確実に受信することができる。したがって、壁面に設けられている保持具に保持される空気調和装置用リモコンに適用することが最適である。
【図面の簡単な説明】
【００２１】
【図１】図１はリモコンの一部切欠き側面図で、（ａ）が本発明におけるリモコンの図、（ｂ）が従来のリモコンの図である。
【図２】図２は本発明における空気調和装置用リモコンの正面図である。
【図３】図３は空気調和装置の説明図である。
【図４】図４は室内機とリモコンとの送受信の説明図である。
【図５】図５はホルダーに収納された状態の本発明におけるリモコンの説明図である。
【図６】図６はホルダーに収納された状態の従来のリモコンの説明図である。
【符号の説明】
【００２２】
φ  受信中心線と操作面とのなす角度
Ｌ  受信中心線
１  室内機
１６  リモコン
２１  リモコンの送信部
２２  リモコンの受信部
２３  リモコンの操作面
【図１】
2005221159.tif 000003
【図２】
2005221159.tif 000004
【図３】
2005221159.tif 000005
【図４】
2005221159.tif 000006
【図５】
2005221159.tif 000007
【図６】
2005221159.tif 000008